(57)【要約】【課題】伝送系で伝送可能なチャンネル数よりも多いチャンネル数のデジタルデータの伝送を、前記伝送系を通じて行なえるようにする。【解決手段】第１のサンプリング周波数のＭ（Ｍは１以上の整数）チャンネル分のデジタルデータを伝送可能な伝送系により、Ｎ（Ｎは２以上の整数で、Ｎ＞Ｍ）チャンネルのデジタルデータを伝送するようにするデジタルデータ伝送方法である。Ｎチャンネルのデジタルデータは、第１のサンプリング周波数よりも低い第２のサンプリング周波数のデータとして、伝送系７用の第１のサンプリング周波数の伝送レートで伝送するようにする。第１のサンプリング周波数の所定の複数サイクル区間単位で、サンプリング周波数の違いにより生じる空きスペースに、Ｎチャンネルのデジタルデータについての同期信号を挿入する。【選択図】図１
2008028496.tif 000002
【特許請求の範囲】
【請求項１】
第１のサンプリング周波数のＭ（Ｍは１以上の整数）チャンネル分のデジタルデータを伝送可能な伝送系により、Ｎ（Ｎは２以上の整数で、Ｎ＞Ｍ）チャンネルのデジタルデータを伝送するようにするデジタルデータ伝送方法において、
前記Ｎチャンネルのデジタルデータは、前記第１のサンプリング周波数よりも低い第２のサンプリング周波数のデータとして、前記伝送系用の前記第１のサンプリング周波数の伝送レートで伝送するようにすると共に、
前記第１のサンプリング周波数の所定の複数サイクル区間単位で、前記サンプリング周波数の違いにより生じる空きスペースに、前記Ｎチャンネルのデジタルデータについての同期信号を挿入する
ことを特徴とするデジタルデータ伝送方法。
【請求項２】
請求項１に記載のデジタルデータ伝送方法において、
前記同期信号は、前記デジタルデータとして取り得る値ではあるが、前記デジタルデータとして出現しないように変換処理されたものを用いる
ことを特徴とするデジタルデータ伝送方法。
【請求項３】
請求項２に記載のデジタルデータ伝送方法において、
前記デジタルデータは、２の補数を用いたデジタルオーディオデータであって、
前記同期信号は、前記デジタルオーディオデータ値の負の最大値である
ことを特徴とするデジタルデータ伝送方法。
【請求項４】
請求項１に記載のデジタルデータ伝送方法において、
前記同期信号に加えて、所定の複数サイクル区間単位またはその整数倍の区間単位で、前記Ｎチャンネルのデジタルデータに関連する情報を挿入する
ことを特徴とするデジタルデータ伝送方法。
【請求項５】
１サンプル当たりのビット数が、第１のビット数のＭ（Ｍは１以上の整数）チャンネル分のデジタルデータを伝送可能な伝送系により、Ｎ（Ｎは２以上の整数で、Ｎ＞Ｍ）チャンネルのデジタルデータを伝送するようにするデジタルデータ伝送方法において、
前記Ｎチャンネルのデジタルデータは、１サンプル当たりのビット数が、前記第１のビット数よりも少ない第２のビット数のデータとして、前記伝送系を伝送するようにすると共に、
複数サンプル区間単位で、前記第１のビット数よりも前記第２のビット数が少ないことにより生じる空きスペースに、前記Ｎチャンネルのデジタルデータについての同期信号を挿入する
ことを特徴とするデジタルデータ伝送方法。
【請求項６】
請求項５に記載のデジタルデータ伝送方法において、
前記同期信号は、前記第１のビット数のデータからなる
ことを特徴とするデジタルデータ伝送方法。
【請求項７】
請求項５に記載のデジタルデータ伝送方法であって、
前記同期信号は、前記第１のビット数のデータからなり、前記複数サンプル区間は、前記第１のビット数の整数倍のビット数を含む
ことを特徴とするデジタルデータ伝送方法。
【請求項８】
請求項６または請求項７に記載のデジタルデータ伝送方法において、
前記デジタルデータは、２の補数を用いたデジタルオーディオデータであって、
前記同期信号は、前記デジタルオーディオデータ値の負の最大値である
ことを特徴とするデジタルデータ伝送方法。
【請求項９】
請求項５に記載のデジタルデータ伝送方法において、
前記同期信号に加えて、前記複数サンプル区間単位またはその整数倍の区間単位で、前記Ｎチャンネルのデジタルデータに関連する情報を挿入する
ことを特徴とするデジタルデータ伝送方法。
【請求項１０】
第１のサンプリング周波数のＭ（Ｍは１以上の整数）チャンネル分のデジタルデータを伝送可能な伝送系により、Ｎ（Ｎは２以上の整数で、Ｎ＞Ｍ）チャンネルのデジタルデータを伝送するようにするデジタルデータ伝送装置において、
前記Ｎチャンネルのデジタルデータを、前記第１のサンプリング周波数よりも低い第２のサンプリング周波数のデータに変換する変換手段と、
前記変換手段で変換した前記第２のサンプリング周波数のＮチャンネルのデジタルデータを、前記伝送系用の前記第１のサンプリング周波数の伝送レートで順次に前記伝送系を通じて送出すると共に、前記第１のサンプリング周波数の所定の複数サイクル区間単位で、前記サンプリング周波数の違いにより生じる空きスペースに、前記Ｎチャンネルのデジタルデータについての同期信号を挿入する伝送出力制御手段と、
を備えることを特徴とするデジタルデータ伝送装置。
【請求項１１】
１サンプル当たりのビット数が、第１のビット数のＭ（Ｍは１以上の整数）チャンネル分のデジタルデータを伝送可能な伝送系により、Ｎ（Ｎは２以上の整数で、Ｎ＞Ｍ）チャンネルのデジタルデータを伝送するようにするデジタルデータ伝送方法において、
前記Ｎチャンネルのデジタルデータは、１サンプル当たりのビット数が、前記第１のビット数よりも少ない第２のビット数のデータとして、前記伝送系を伝送するようにすると共に、
複数サンプル区間単位で、前記第１のビット数よりも前記第２のビット数が少ないことにより生じる空きスペースに、前記Ｎチャンネルのデジタルデータについての同期信号を挿入する
ことを特徴とするデジタルデータ伝送方法。
【発明の詳細な説明】
【技術分野】
【０００１】
この発明は、Ｍ（Ｍは１以上の整数）チャンネル分のデジタルデータを伝送可能な伝送路により、Ｎ（Ｎは２以上の整数で、Ｎ＞Ｍ）チャンネルのデジタルデータを伝送するようにするデジタルデータ伝送方法およびデジタルデータ伝送装置に関する。
【背景技術】
【０００２】
ホームシアターシステムと呼ばれる映像音響再生システムが普及しつつある。この映像音響再生システムにおいては、例えばＤＶＤ（Ｄｉｇｉｔａｌ  Ｖｅｒｓａｔｉｌｅ  Ｄｉｓｃ）からの映像再生は、比較的大画面のディスプレイに表示して行なうと共に、音響再生は、マルチチャンネル方式、最近は、５．１チャンネル方式を採用して、迫力のある映像および音響再生ができるようにしている。
【０００３】
この５．１チャンネル方式の音響再生システムでは、フロント、センタ、リア、サブウーハと、４種類、６本のスピーカを適宜の位置に配置すると共に、比較的大音量出力でスピーカを鳴らすようにする。
【０００４】
すなわち、リスナの前方の、左側にフロント左チャンネル用スピーカが、右側にフロント右チャンネル用スピーカが、また、正面にセンタチャンネル用スピーカが、それぞれ配置される。また、リスナの後方の、左側にリア左チャンネル用スピーカが、右側にリア右チャンネル用スピーカが、それぞれ配置される。さらに、適宜の位置に、ＬＦＥ（Ｌｏｗ  Ｆｒｅｑｕｅｎｃｙ  Ｅｆｆｅｃｔ）チャンネル用（低域専用）のサブウーハスピーカが配置される。
【０００５】
これらの６個のスピーカは、それぞれスピーカボックス（箱）に取り付けられて、それぞれの位置に配置される。通常、前後の６個のスピーカは、リスナとの距離が、例えば２メートル程度とされて配置されることが多い。
【０００６】
ところで、以上のように配置される６個のスピーカに対して、対応するチャンネルのオーディオ信号をどのように供給するかが問題となる。６個のスピーカのそれぞれに、スピーカケーブルを通じて、再生装置から対応するチャンネルのオーディオ信号を供給することが一般的であるが、多数本のスピーカケーブルが長々と部屋に敷設されると、美観が悪くなったり、部屋の掃除の邪魔になったりするという問題がある。
【０００７】
フロント左右チャンネル用スピーカは、再生装置をリスナの正面中央に設置した場合に、その両側に設置することができるために、スピーカケーブルで、再生装置との間を接続しても、それほど問題にはならないが、リスナの後ろに設置されるリア左右チャンネル用のスピーカや任意の位置に配置されるＬＦＥチャンネル用のスピーカに対するスピーカケーブルの引き回しは、上述のような不具合が生じやすい。
【０００８】
一方、スピーカケーブルを用いずに、例えば赤外線を用いて無線で各スピーカに、当該スピーカに供給すべきチャンネルのオーディオ信号を送るようにする技術（例えば特許文献１（特開２００３−１８８８１９号公報）等）が知られており、これを用いれば、上述のスピーカケーブルの引き回しの問題は回避できる。
【０００９】
上記の特許文献および非特許文献は、次の通りである。
【特許文献１】特開２００３−１８８８１９号公報
【発明の開示】
【発明が解決しようとする課題】
【００１０】
しかしながら、上述の特許文献１に記載の技術は、複数個のスピーカのそれぞれに対して赤外光の送信手段と受信手段との対を設けるようにしており、コスト高となると共に、それぞれのスピーカの方向に赤外光を放射するようにしなければならず、スピーカ配置および赤外光の送信手段の配置が制限されるという問題がある。
【００１１】
そこで、例えば、リア左右チャンネル用のスピーカ、ＬＦＥチャンネル用スピーカなどの複数のスピーカに対して一つの伝送路を通じて、それら複数個のスピーカ用の各チャンネルのオーディオ信号を供給するシステムがあれば、非常に便利である。すなわち、その場合には、リア左右チャンネル用のスピーカ、ＬＦＥチャンネル用スピーカなどの複数のスピーカに、例えばスピーカケーブルを通じて、それぞれのチャンネル用オーディオ信号を中継する中継装置を、それらのスピーカの近傍に設けておき、ＤＶＤプレーヤなどの再生装置と、その中継装置との間を、有線あるいは無線による一つの伝送路で接続するようにする。
【００１２】
ところが、現在、一つの伝送路でオーディオ信号を伝送する伝送系として利用することができるものは、２チャンネルのオーディオ信号を伝送することができるものが存在するだけで、３チャンネル以上のオーディオ信号の伝送はできないという問題がある。既存の伝送系を使用せずに、新たに、必要なチャンネル数のオーディオ信号を伝送する伝送系を構築することも考えられるが、開発コストなどを考慮すると既存のインフラを用いる方が有利である。
【００１３】
以上の点にかんがみ、この発明は、伝送系で伝送可能なチャンネル数よりも多いチャンネル数のデジタルデータの伝送を、前記伝送系を通じて行なえるようにすることにより、上述の問題を解決することを目的とする。
【課題を解決するための手段】
【００１４】
上記の課題を解決するために、請求項１の発明によるデジタルデータ伝送方法は、
第１のサンプリング周波数のＭ（Ｍは１以上の整数）チャンネル分のデジタルデータを伝送可能な伝送系により、Ｎ（Ｎは２以上の整数で、Ｎ＞Ｍ）チャンネルのデジタルデータを伝送するようにするデジタルデータ伝送方法において、
前記Ｎチャンネルのデジタルデータは、前記第１のサンプリング周波数よりも低い第２のサンプリング周波数のデータとして、前記伝送系用の前記第１のサンプリング周波数の伝送レートで伝送するようにすると共に、
前記第１のサンプリング周波数の所定の複数サイクル区間単位で、前記サンプリング周波数の違いにより生じる空きスペースに、前記Ｎチャンネルのデジタルデータについての同期信号を挿入する
ことを特徴とする。
【００１５】
請求項１の発明においては、伝送系を通じて伝送しようとするＮチャンネルのデジタルデータは、伝送系として規定されているデジタルデータの第１のサンプリング周波数よりも低い第２のサンプリング周波数のデータとする。そして、この第２のサンプリング周波数のデータを、伝送系用の第１のサンプリング周波数の伝送レートで伝送する。
【００１６】
すると、伝送系においては、第１のサンプリング周波数の伝送レートの複数サイクル区間では、第１のサンプリング周波数のデジタルデータのサンプル数よりも多い、第２の周波数のデジタルデータのサンプル数が伝送可能となる。つまり、サンプリング周波数の違いにより、伝送系において、空きスペースを設けることが可能となる。
【００１７】
そこで、この発明では、この空きスペースに、伝送しようとするＮチャンネルのデータデータについての同期信号を挿入する。この同期信号により、伝送系用の第１のサンプリング周波数とは異なる第２のサンプリング周波数のＮチャンネルのオーディオデータを、受信側で分離して再生することができる。
【００１８】
また、請求項５の発明は、
１サンプル当たりのビット数が、第１のビット数のＭ（Ｍは１以上の整数）チャンネル分のデジタルデータを伝送可能な伝送系により、Ｎ（Ｎは２以上の整数で、Ｎ＞Ｍ）チャンネルのデジタルデータを伝送するようにするデジタルデータ伝送方法において、
前記Ｎチャンネルのデジタルデータは、１サンプル当たりのビット数が、前記第１のビット数よりも少ない第２のビット数のデータとして、前記伝送系を伝送するようにすると共に、
複数サンプル区間単位で、前記第１のビット数よりも前記第２のビット数が少ないことにより生じる空きスペースに、前記Ｎチャンネルのデジタルデータについての同期信号を挿入する
ことを特徴とする。
【００１９】
請求項５の発明においては、伝送系を通じて伝送しようとするＮチャンネルのデジタルデータは、伝送系として規定されているデジタルデータの１サンプル当たりの第１のビットよりも少ない第２のビット数／サンプルのデータとする。そして、この第２のビット数／サンプルのデータを、伝送系用の第１のビット数／サンプルの伝送レートで伝送する。
【００２０】
すると、伝送系における複数サンプル区間では、第１のビット数のデジタルデータのサンプル数よりも多い、第２のビット数のデジタルデータのサンプル数が伝送可能となる。つまり、ビット数の違いにより、伝送系において、空きスペースを設けることが可能となる。
【００２１】
そこで、この発明では、この空きスペースに、伝送しようとするＮチャンネルのデータデータについての同期信号を挿入する。この同期信号により、伝送系用の第１のビット数／サンプルとは異なる第２のビット数のＮチャンネルのオーディオデータを、受信側で分離して再生することができる。
【発明の効果】
【００２２】
この発明によれば、Ｍチャンネルのデジタルデータの伝送が可能な伝送系を通じて、Ｍチャンネルよりも多いＮチャンネル（Ｎ＞Ｍ）のデジタルデータの伝送が可能になる。
【発明を実施するための最良の形態】
【００２３】
以下、この発明によるデジタルデータの伝送方法および伝送装置の実施形態を、図を参照しながら説明する。
【００２４】
［第１の実施形態］
図２は、この発明によるデジタルデータの伝送方法の実施形態を適用した映像音響再生システムの一例を示すブロック図である。この図２の例の映像音響再生システムは、オーディオ再生系に関して、５．１チャンネルサラウンドシステムとした構成である。また、図１は、図２の映像音響再生システムのうちの、ＤＶＤプレーヤからの出力オーディオ信号による音響再生システム部分の、より詳細な回路構成例を示すものである。
【００２５】
図２の例のシステムは、ＤＶＤプレーヤ１と、オーディオ信号無線送信装置２と、オーディオ信号無線受信装置３と、映像モニター表示装置４と、６個のスピーカ装置５ＦＬ、５Ｃ、５ＦＲ、５ＲＬ、５ＲＲおよび５ＬＦＥとからなる。
【００２６】
この実施形態においては、リスナ６の前方の、左側にフロント左チャンネル用スピーカ装置５ＦＬが、右側にフロント右チャンネル用スピーカ装置５ＦＲが、それぞれ配置され、また、リスナ６の前方中央にセンタチャンネル用スピーカ装置５Ｃが配置される。スピーカ装置５ＦＬ，５ＦＲは、左右のどちらのチャンネルかを区別する必要がないときには、以下、フロントスピーカ装置と称する。
【００２７】
なお、フロント左チャンネル用スピーカ装置５ＦＬおよびフロント右チャンネル用スピーカ装置５ＦＲは、映像モニター表示装置４に左右スピーカ装置が内蔵されている場合には、それらのスピーカ装置を用いることができる。
【００２８】
そして、この実施形態では、リスナ６の後方の、左側にリア左チャンネル用スピーカ装置５ＲＬが、右側にリア右チャンネル用スピーカ５ＲＲ装置が、それぞれ配置される。これらのスピーカ装置５ＲＬ、５ＲＲは、左右を区別する必要がないときには、以下、リアスピーカと称する。
【００２９】
また、リスナ６の後方の任意の位置、図２の例では、後方中央には、低域専用チャンネル用のスピーカ装置５ＬＦＥが配置される。
【００３０】
スピーカ装置５ＦＬ，５ＦＲ，５Ｃ，５ＲＬ，５ＲＲ，５ＬＦＥのそれぞれは、図１に示すように、オーディオ出力アンプ８ＦＬ，８ＦＲ，８Ｃ，８ＲＬ，８ＲＲ，８ＬＦＥと、スピーカユニット９ＦＬ，９ＦＲ，９Ｃ，９ＲＬ，９ＲＲ，９ＬＦＥとからなる。
【００３１】
なお、ＤＶＤプレーヤ１から出力されるオーディオ信号がデジタルオーディオ信号の形式の場合には、スピーカ装置５ＦＬ，５ＦＲ，５Ｃ，５ＲＬ，５ＲＲ，５ＬＦＥのそれぞれのオーディオ出力アンプ８ＦＬ，８ＦＲ，８Ｃ，８ＲＬ，８ＲＲ，８ＬＦＥの前段に、Ｄ／Ａ変換器を設けて、アナログオーディオ信号に戻すように構成する。
【００３２】
ＤＶＤプレーヤ１は、これに装填されたＤＶＤに記録されている映像信号および音声信号を再生して出力する。この例では、ＤＶＤプレーヤ１で再生された映像信号Ｖｉは、映像モニター表示装置４に供給されて、その表示画面に、再生映像信号Ｖｉによる再生映像が表示される。
【００３３】
ＤＶＤプレーヤ１は、この実施の形態では、５．１チャンネルのサラウンド方式に対応するデコード機能を備え、左右２チャンネル用のフロントスピーカ装置５ＦＬおよび５ＦＲに供給するオーディオ信号ＬｆおよびＲｆと、センタチャンネル用のスピーカ装置５Ｃに供給するオーディオ信号Ｃと、リア左チャンネル用スピーカ装置５ＲＬおよびリア右チャンネル用スピーカ装置５ＲＲとに供給するオーディオ信号ＬｒおよびＲｒと、低域専用チャンネル用のスピーカ装置５ＬＦＥに供給するオーディオ信号ＬＦＥとを生成して出力する。
【００３４】
この実施形態では、ＤＶＤプレーヤ１のフロント左右チャンネル用のオーディオ信号Ｌｆ，Ｒｆおよびセンタチャンネルのオーディオ信号Ｃの出力端子のそれぞれは、スピーカケーブルを通じてそれぞれ対応するチャンネルの各スピーカ装置５ＦＬ，５ＦＲおよび５Ｃの入力端子のそれぞれに接続されている。
【００３５】
そして、この実施形態では、ＤＶＤプレーヤ１からのフロント左右チャンネル用のオーディオ信号Ｌｆ，Ｒｆおよびセンタチャンネルのオーディオ信号Ｃは、それぞれ対応するチャンネルの各スピーカ装置５ＦＬ，５ＦＲおよび５Ｃに供給され、それぞれオーディオ出力アンプ８ＦＬ，８ＦＲおよび８Ｃの出力によりスピーカユニット９ＦＬ，９ＦＲおよび９Ｃが駆動されて，音響再生される。
【００３６】
一方、ＤＶＤプレーヤ１からのリア左チャンネルおよびリア右チャンネルのオーディオ信号ＬｒおよびＲｒと、低域専用チャンネルのオーディオ信号ＬＦＥとの３チャンネルのオーディオ信号は、この実施形態では、対応するそれぞれのスピーカ装置５ＲＬ，５ＲＲおよび５ＬＦＥに直接供給されるのではなく、オーディオデータ無線送信装置２およびオーディオデータ無線受信装置３を含む無線伝送路を通じて、まとめて無線送信された後、それらスピーカ装置５ＲＬ，５ＲＲおよび５ＬＦＥに供給されるようにされている。
【００３７】
この実施形態では、このように無線伝送路を通じてリスナ６の後ろ側に配置されるスピーカ装置へ供給するオーディオ信号が伝送されるので、従来のように複数本（３本）のスピーカケーブルをリスナ６の後ろ側にまで、敷設したり、３チャンネル分の３組の赤外線送信部および赤外線受信部を設けたりする必要が無くなる。
【００３８】
すなわち、ＤＶＤプレーヤ１からのリア左チャンネルおよびリア右チャンネルのオーディオ信号ＬｒおよびＲｒと、低域専用チャンネルのオーディオ信号ＬＦＥとの３チャンネルのオーディオ信号は、オーディオデータ無線送信装置２に供給される。
【００３９】
この実施形態では、オーディオデータ無線送信装置２と、オーディオデータ無線受信装置３との間は、既存の伝送系である２チャンネルのオーディオ信号の無線伝送系７により接続されている。この無線伝送系は、サンプリング周波数が４８ｋＨｚでサンプリングされた、１チャンネル当たり１６ビット／サンプルの２チャンネルのデジタルオーディオデータの伝送が可能であるものである。この無線伝送系７のトータルの伝送レートは、１．５３６Ｍｂｐｓである。この場合、無線伝送手段としては、光を用いたものに限らず、電波を用いたものであっても、もちろん良い。
【００４０】
そして、この実施形態では、後述するように、オーディオデータ無線送信装置２では、ＤＶＤプレーヤ１からのリア左チャンネルおよびリア右チャンネルのオーディオ信号ＬｒおよびＲｒと、低域専用チャンネルのオーディオ信号ＬＦＥとの３チャンネルのデジタルオーディオデータを、２チャンネルの無線伝送系７を通じて送受可能なフォーマットのデータに変換して、オーディオデータ無線受信装置３に無線送信する。
【００４１】
そして、オーディオデータ無線受信装置３では、無線伝送系７を通じて受け取ったオーディオデータから、元のリア左チャンネルおよびリア右チャンネルのオーディオ信号ＬｒおよびＲｒと、低域専用チャンネルのオーディオ信号ＬＦＥとの３チャンネルのデジタルオーディオデータを復調して得る。
【００４２】
そして、オーディオデータ無線受信装置３の、リア左チャンネルおよびリア右チャンネルのオーディオ信号ＬｒおよびＲｒと、低域専用チャンネルのオーディオ信号ＬＦＥの信号出力端子のそれぞれは、スピーカケーブルを通じてそれぞれ対応するチャンネルの各スピーカ装置５ＲＬ，５ＲＲおよび５ＬＦＥの入力端子のそれぞれに接続されている。
【００４３】
そして、この実施形態では、オーディオデータ無線受信装置３からのリア左右チャンネル用のオーディオ信号Ｌｒ，Ｒｒおよび低域専用チャンネルのオーディオ信号ＬＦＥは、それぞれ対応するチャンネルの各スピーカ装置５ＲＬ，５ＲＲおよび５ＬＦＥに供給され、それぞれオーディオ出力アンプ８ＲＬ，８ＲＲおよび８ＬＦＥの出力によりスピーカユニット９ＲＬ，９ＲＲおよび９ＬＦＥが駆動されて，音響再生される。
【００４４】
次に、既存の伝送系である２チャンネルのオーディオ信号の無線伝送系７を通じた、オーディオデータ無線送信装置２と、オーディオデータ無線受信装置３との間でのデータ伝送の詳細について、図１を参照しながら説明する。
【００４５】
まず、この実施形態におけるデータ伝送方法の概要について説明する。
【００４６】
多くのデジタルオーディオ装置では、サンプリング周波数は複数チャンネルのすべてで一定としてシステム構成されている。しかし、５．１チャンネルサラウンドシステムのような場合は、各チャンネルにおける信号の役割が異なることから、その役割に応じたサンプリング周波数を配分することは合理的なことである。
【００４７】
つまり、フロント左右２チャンネルや、センタチャンネルは、ＤＶＤプレーヤ１からの出力音声信号のメインであるので、４８ｋＨｚを割り当てる。一方、リアの左右２チャンネルは、メインの音声信号ではないので、それより低いサンプリング周波数、例えば４４．１ｋＨｚや３２ｋＨｚであってもよい。更には、低域専用チャンネルにいたっては、最高でも４００Ｈｚ程度の信号しか来ないので、これに４８ｋＨｚのサンプリング周波数を使うことは全く必要のないことである。
【００４８】
そこで、この実施形態では、オーディオデータ無線送信装置２と、オーディオデータ無線受信装置３との間でのデータ伝送の対象となるリア左右２チャンネルや低域専用チャンネルのサンプリング周波数は、無線伝送系７に割り当てられているサンプリング周波数４８ｋＨｚよりも低いサンプリング周波数のデジタルデータに変換する。そして、低いサンプリング周波数に変換されたデジタルデータを、無線伝送系７の本来の伝送レート、つまり、無線伝送系７に割り当てられている高いサンプリング周波数のデータを伝送するための伝送レートで、伝送するようにする。
【００４９】
このようにすると、伝送しようとするデジタルデータのサンプリング周波数が低いために、同じチャンネル数であれば、無線伝送系７の本来の伝送レートでは余裕ができ、データ伝送の空き区間を形成することができる。そこで、その空き区間に、別のチャンネルのデジタルデータを挿入して伝送することが可能である。
【００５０】
ただし、そのようにした場合には、無線伝送系７が想定しているチャンネル数よりも、多いチャンネル数のデジタルデータを伝送するものであり、無線伝送系７自身が検出することができるサンプル同期だけでは、受信側において各チャンネルのデジタルデータを区別して抽出することができない。
【００５１】
このため、この実施形態では、無線伝送系７で伝送しようとする複数チャンネルのオーディオデータのそれぞれを区別ができるようにするための同期信号をも、さらに挿入して伝送するようにする。
【００５２】
以上のことを実現するため、この実施形態では、図１に示すように構成する。すなわち、図１に示すように、オーディオデータ無線送信装置２は、この第１の実施形態においては、リア左右チャンネル用のオーディオ信号Ｌｒ，Ｒｒおよび低域専用チャンネルのオーディオ信号ＬＦＥのそれぞれのサンプリング周波数の変換を行なうサンプリング周波数変換部２１，２２，２３と、それらサンプリング周波数変換部２１，２２，２３からの３チャンネルのオーディオデータを多重化する多重化回路部２４と、この多重化回路部２４で一つのストリームとされたオーディオデータを無線送信する無線送信回路部２５とからなる。
【００５３】
リア左右チャンネルのオーディオ信号Ｌｒ，Ｒｒ用のサンプリング周波数変換部２１および２２は、この例では、ＤＶＤプレーヤ１からのサンプリング周波数が４８ｋＨｚのオーディオデータを、サンプリング周波数が３２ｋＨｚのオーディオデータに変換するようにする。
【００５４】
また、低域専用チャンネルのオーディオ信号ＬＦＥ用のサンプリング周波数変換部２３は、この例では、ＤＶＤプレーヤ１からのサンプリング周波数が４８ｋＨｚのオーディオデータを、サンプリング周波数が１６ｋＨｚのオーディオデータに変換するようにする。
【００５５】
これらサンプリング周波数変換部２１，２２，２３は、ＤＶＤプレーヤ１からのオーディオデータがデジタルオーディオデータの場合には、Ｄ／Ａ変換してアナログオーディオ信号に戻し、３２ｋＨｚまたは１６ｋＨｚのサンプリング周波数で再サンプリングを行い、そのサンプリング結果をデジタルデータに変換して、目的のデジタルオーディオデータを得る。
【００５６】
また、ＤＶＤプレーヤ１からのオーディオデータがアナログオーディオ信号の場合には、サンプリング周波数変換部２１，２２，２３は、それぞれ３２ｋＨｚまたは１６ｋＨｚのサンプリング周波数でサンプリングを行い、そのサンプリング結果をデジタルデータに変換して、目的のデジタルオーディオデータを得る。
【００５７】
なお、これらサンプリング周波数変換部２１，２２，２３で用いられる３２ｋＨｚおよび１６ｋＨｚのサンプリングクロックは、無線送信回路部２５で無線伝送系７に送出するために使用される４８ｋＨｚまたはそれを逓倍した周波数のクロックに同期したものとされている。
【００５８】
サンプリング周波数変換部２１,２２,２３からのデジタルオーディオデータは、それぞれ多重化回路部２４に供給されて、以下に説明するような多重化処理が行われる。この多重化回路部２４では、各デジタルオーディオデータは、サンプリング周波数４８ｋＨｚ、２チャンネルのデータサンプル伝送用の伝送レートに同期したサンプルクロックおよびビットクロックを使用して、サンプリング周波数変換部２１,２２,２３からのデジタルオーディオデータについての多重化処理を以下に説明するようにして行う。
【００５９】
前述したように、この実施形態で用いられる無線伝送系７は、サンプリング周波数が４８ｋＨｚであって、１６ビット／サンプルのデジタルオーディオデータを、２チャンネル分、伝送できる容量を備えている。
【００６０】
図３（Ａ）に示すように、サンプリング周波数が４８ｋＨｚの信号の１サイクル区間（１周期）をＴ時間とすると、４８ｋＨｚ：３２ｋＨｚ＝３：２であるので、３Ｔの区間は、図３（Ｃ）に示すように、サンプリング周波数が３２ｋＨｚの信号の２周期分に相当し、図３（Ｄ）に示すように、この３Ｔ区間には、リア左右２チャンネルのオーディオデータＬｒ，Ｒｒは、２個ずつ、合計４個の１６ビットサンプルが含まれることになる。
【００６１】
また、前記３Ｔの区間は、４８ｋＨｚ：１６ｋＨｚ＝３：１であるので、図３（Ｅ）に示すように、サンプリング周波数が１６ｋＨｚの信号の１周期分に相当し、図３（Ｆ）に示すように、低域専用チャンネルのオーディオデータＬＦＥは、３Ｔ区間に１個の１６ビットサンプルが含まれることになる。
【００６２】
そして、無線伝送系７では、１Ｔの区間に、１６ビットのサンプルデータが２個（２チャンネル分）伝送可能であるので、３Ｔの区間では、１６×２×３＝９６ビットのデータの伝送が可能である。つまり、無線伝送系７では、３Ｔの間には、１６ビットのサンプルデータを、６個、伝送可能である。
【００６３】
上述したように、３Ｔの区間には、リア左右２チャンネルのオーディオデータＬｒ，Ｒｒは４個のサンプルデータが、低域専用チャンネルのオーディオデータＬＦＥは１個のサンプルデータが、含まれるので、合計５個となり、１個のサンプルデータ分の空きが生じる。
【００６４】
この実施形態では、図３（Ｂ）に示すように、この空きの１サンプルデータ分に、３チャンネルのオーディオデータを分離するための同期信号ＳＹＮＣを挿入する。すなわち、３Ｔの区間に、リア左右２チャンネルのオーディオデータＬｒ，Ｒｒおよび低域専用チャンネルのオーディオデータＬＦＥを伝送するようにした場合、オーディオデータ無線受信装置３側において、どれがリア左右２チャンネルのオーディオデータＬｒ，Ｒｒで、どれが低域専用チャンネルのオーディオデータＬＦＥであるかの区別をすることができない。
【００６５】
しかし、同期信号ＳＹＮＣが挿入されていれば、オーディオデータ無線受信装置３側で、この同期信号ＳＹＮＣを頼りに、リア左右２チャンネルのオーディオデータＬｒ，Ｒｒおよび低域専用チャンネルのオーディオデータＬＦＥを分離して、デコードすることができる。
【００６６】
以上のことを考慮して、この実施形態では、３Ｔ区間を、リア左右２チャンネルのオーディオデータＬｒ，Ｒｒおよび低域専用チャンネルのオーディオデータＬＦＥを多重化伝送する際の、多重化単位とするようにする。
【００６７】
ところで、上述の同期信号ＳＹＮＣとしては、オーディオデータとしては、現れない１６ビットのデータを用いる必要がある。
【００６８】
この実施形態の映像音響再生システムにおいては、２の補数を用いてオーディオデータを扱うことで、アナログオーディオ信号の平均レベルをゼロとして、オーディオデータを、正、負のデータ値として扱うことができるようにしているが、この実施形態では、同期信号ＳＹＮＣとして負の最大値を用いるようにすると共に、オーディオデータに若干の工夫を加える。
【００６９】
すなわち、２の補数を用いてオーディオデータを扱う場合において、この実施形態では、負の最大値（１６ビットでは、「８０００（１６進数表示）」）を同期信号ＳＹＮＣに割り当てると共に、オーディオデータが、この負の最大値になったときには、他の値、例えば１を加えた値（「８０００（１６進表示）」→「８００１（１６進表示）」）に変換して、同期信号ＳＹＮＣと同じ値が、オーディオデータ列中には、存在しないようにする。つまり、この実施形態のオーディオデータは、負の方向には、（負の最大値―１）までで、データ値をホールドさせるようにする。
【００７０】
２の補数を用いてオーディオデータを扱う場合には、ゼロを中心した正の値と、負の値とをとるようにするが、図４に示すように、元々、正の方向の値と負の方向の値は非対称なものとなっている。そして、負の最大値をオーディオデータとして用いないようにすれば、オーディオデータとしての正、負の値の対象性は保持される。
【００７１】
そして、同期信号ＳＹＮＣとして用いる負の最大値は、オーディオ信号の振幅の負の方向の最大値に対応するものであり、特に、当該負の最大値をオーディオデータとして用いなくしても、オーディオ信号について、ダイナミックレンジや歪みや周波数特性が悪化することは無い。
【００７２】
多重化回路部２４は、上述した負の最大値「８０００（１６進表示）」を発生する同期信号発生部２４１を備える。そして、多重化回路部２４は、サンプリング４８ｋＨｚ、２チャンネルのデータサンプル伝送用の伝送レートに同期したサンプルクロックおよびビットクロックを使用して、この実施形態では、３Ｔ区間毎に、サンプリング周波数変換部２１,２２からのリア左右チャンネルのオーディオデータＬｒ，Ｒｒおよび低域専用チャンネルのオーディオデータＬＦＥを、図３（Ｂ）に示すように、順次に、配置してゆくと共に、当該３Ｔ区間毎に、同期信号発生部２４０から読み出した同期信号ＳＹＮＣを挿入付加する処理（多重化処理）を実行する。
【００７３】
以上のようにして、多重化されたオーディオデータは、無線送信回路部２５に供給される。無線送信回路部２５は、無線伝送系７に適合する態様で、サンプリング４８ｋＨｚ、２チャンネルのデータサンプル伝送用の伝送レートにより、前記多重化されたオーディオデータを、光または電波による無線によりオーディオデータ無線受信部３に送信する。
【００７４】
オーディオデータ無線受信部３は、無線受信回路部３１と、多重化復調回路部３２とを備える。
【００７５】
無線受信回路部３１は、無線伝送系７を通じて送られてくるデータを受信し、サンプリング４８ｋＨｚ、２チャンネルのデータサンプルのワード同期信号（サンプル同期信号）を生成し、生成したワード同期信号と共に、受信データを多重化復調回路部３２に供給する。
【００７６】
多重化復調回路部３２では、同期検出部３２０において、受信したデータから同期信号ＳＹＮＣの検出を行い、検出した同期信号ＳＹＮＣを基に、４８ｋＨｚのサンプルレートの受信データから、リア左右チャンネルのオーディオデータＬｒ，Ｒｒおよび低域専用チャンネルのオーディオデータＬＦＥをそれぞれ分離する。
【００７７】
そして、多重化復調回路部３２では、この例では、分離したリア左右チャンネルのオーディオデータＬｒ，Ｒｒおよび低域専用チャンネルのオーディオデータＬＦＥの各チャンネルのオーディオ信号を、Ｄ／Ａ変換してアナログオーディオ信号としてスピーカ装置５Ｌｒ，５Ｒｒおよび５ＬＦＥのそれぞれに供給する。
【００７８】
そして、スピーカ装置５Ｌｒ，５Ｒｒおよび５ＬＦＥのそれぞれにおいて、オーディオ出力アンプ８ＲＬ，８ＲＲおよび８ＬＦＥの出力によりスピーカユニット９ＲＬ，９ＲＲおよび９ＬＦＥが駆動されて，各チャンネルのオーディオ信号が音響再生される。
【００７９】
以上説明した実施形態によれば、既存の２チャンネルのオーディオ信号の伝送系を用いて、３チャンネルのオーディオ信号を伝送することが可能になる。この場合に、リア左右チャンネルのオーディオデータは、サンプリング周波数が４８ｋＨｚから３２ｋＨｚに低減されるため、再現可能なオーディオ帯域が２４ｋＨｚから１６ｋＨｚになって、若干、高い音が失われるが、実用上のデメリットは非常に少ない。同様に、低域専用チャンネルのオーディオデータは、サンプリング周波数が４８ｋＨｚから１６ｋＨｚに低減されるため、再現可能なオーディオ帯域は２４ｋＨｚから８ｋＨｚになるが、元々低域専用チャンネルのオーディオ信号は、必要な帯域は、１ｋＨｚ以下程度でよいので、実用上は、問題は無い。
【００８０】
なお、上述の例において、サンプリング周波数変換後のサンプリング周波数は一例であり、その他の種々のサンプリング周波数を採用しても良い。例えば、品質的には劣ることになるが、リア左右チャンネルの再現帯域をより低くすることができる場合には、図５に示すような、サンプリング周波数を用いることもできる。
【００８１】
すなわち、図５の例の場合には、リア左右チャンネルのオーディオデータＬｒ，Ｒｒのサンプリング周波数は、２４ｋＨｚとする。また、低域専用チャンネルのオーディオデータＬＦＥのサンプリング周波数は、１２ｋＨｚとする。
【００８２】
この例の場合には、図５に示すように、サンプリング周波数が４８ｋＨｚの信号の１サイクル区間（１周期）をＴ時間としたときに、２Ｔ区間を、リア左右２チャンネルのオーディオデータＬｒ，Ｒｒおよび低域専用チャンネルのオーディオデータＬＦＥを多重化伝送する際の、多重化単位とするようにする。
【００８３】
４８ｋＨｚのサンプリング周波数、２チャンネルの伝送系の２Ｔ区間（図５（Ａ）参照）では、１６ビットのサンプルデータを４個伝送可能であるが、上述のようなサンプリング周波数が２４ｋＨｚ（図５（Ｃ）参照）とされたリア左右２チャンネルのオーディオデータＬｒ，Ｒｒは、この２Ｔ区間には、図５（Ｄ）に示すように、１個ずつの２個が含まれ、また、サンプリング周波数が１２ｋＨｚ（図５（Ｅ）参照）とされた低域専用チャンネルのオーディオデータＬＦＥは、この２Ｔ区間には、図５（Ｆ）に示すように、１個が含まれる。
【００８４】
したがって、図５（Ｂ）に示すように、２Ｔ区間において、同期信号ＳＹＮＣと、リア左右チャンネルの１個ずつの２個のデータと、低域専用チャンネルの１個のデータとを多重化することができる。
【００８５】
［第２の実施形態］
この第２の実施形態は、映像音響システムのハードウエア構成は、図１および図２を用いて説明した上述した第１の実施形態と同様であるが、オーディオデータ無線送信装置２の多重化回路部２４における多重化処理の内容およびオーディオデータ無線受信装置３の多重化復調回路部３２における多重化復調処理の内容が、上述した第１の実施形態とは異なる。
【００８６】
すなわち、この第２の実施形態では、無線伝送系７を通じて、リア左右チャンネルのオーディオデータおよび低域専用チャンネルのオーディオデータに加えて、これらオーディオデータに関連する付加信号ＣＴＬを伝送するようにする。この付加信号ＣＴＬは、例えばフロント側の音量が変化したとき、それをリア側に伝え、絶えず前後の音量のバランスを取るために使用するなどのために用いられる。
【００８７】
これに応じて、この第２の実施形態のオーディオデータ無線受信装置３の多重化復調回路部３２は、Ｄ／Ａ変換したオーディオ信号に対して音量調節を施すための音量調節手段を備える。
【００８８】
図６を参照しながら、この第２の実施形態における多重化方法の一例を説明する。すなわち、この図６の例においては、リア左右チャンネルのオーディオデータおよび低域専用チャンネルを伝送系７を通じて伝送する多重化の単位は、６Ｔ区間（図６（Ａ）参照）とする。
【００８９】
そして、その６Ｔ区間の多重化単位区間の前半の３Ｔ区間と後半の３Ｔ区間とに分けたときに、前半の３Ｔ区間は、第１の実施形態と全く同様とするが、後半の３Ｔ区間においては、第１の実施形態では、同期信号ＳＹＮＣが挿入される１／２Ｔ区間に、当該６Ｔ区間に伝送されるオーディオ信号に関連するデータの例としての付加信号ＣＴＬ（１６ビット）が挿入される。
【００９０】
この第２の実施形態によれば、多重化単位区間は長くなるだけで、第１の実施形態と同様にして、２チャンネル分のオーディオデータ伝送路を用いて、３チャンネルのオーディオデータを伝送することができると共に、その多重化区間毎に付加信号ＣＴＬを伝送することができるというメリットがある。
【００９１】
［第２の実施形態の変形例］
図６に示した第２の実施形態においては、低域専用チャンネルのオーディオデータＬＦＥは、モノーラル信号であったが、低域専用チャンネルは、前述したように、サンプリング周波数を１６ｋＨｚよりもさらに低い周波数にすることが可能であるので、低域専用チャンネルを２チャンネルとすることもできる。
【００９２】
すなわち、図７は、その場合の多重化方法の一例を示すもので、この例においては、低域専用チャンネルのオーディオデータＬＦＥのサンプリング周波数は、８ｋＨｚとして、左右２チャンネルのオーディオデータＬＦＥ（Ｌ）と、ＬＦＥ（Ｒ）とを得るようにする。
【００９３】
そして、６Ｔ区間の多重化単位区間は、図６に示した第２の実施形態と全く同様とするが、その前半の３Ｔ区間に多重化する低域専用チャンネルのオーディオデータは、左チャンネルの低域専用チャンネルのオーディオデータＬＦＥ（Ｌ）とし、後半の３Ｔ区間においては、右チャンネルの低域専用チャンネルのオーディオデータＬＦＥ（Ｒ）とする。
【００９４】
すなわち、この例によれば、低域専用チャンネルをステレオにすることができる。
【００９５】
［第３の実施形態］
上述の第１および第２の実施形態は、サンプリング周波数を、使用したい伝送系におけるデータのサンプリング周波数よりも低くして、使用したい伝送系で伝送可能なチャンネル数よりも多いチャンネル数のオーディオデータを伝送するようにした。これに対して、第３の実施形態においては、１サンプル当たりの伝送ビット数を低減させることにより、使用したい伝送系で伝送可能なチャンネル数よりも多いチャンネル数のオーディオデータを伝送する。以下に、その幾つかの例を示す。
【００９６】
なお、この第３の実施形態においても、映像音響再生システムの構成は、図２の通りであり、上述の第１および第２の実施形態と同様である。
【００９７】
＜第１の例＞
第３の実施形態の第１の例を、図８のブロック図および図９のタイミングチャートを参照して説明する。
【００９８】
すなわち、図８は、この第１の例によるオーディオデータ無線送信装置２と、オーディオ無線受信装置３の部分のみを示すものである。
【００９９】
この第１の例においては、オーディオデータ無線送信装置２は、上述の第１の実施形態におけるサンプリング周波数変換部２１,２２,２３の代わりに、１６→１５ビット変換部２０１，２０２と、サンプリング周波数変換部２０３とを設け、これら１６→１５ビット変換部２０１，２０２およびサンプリング周波数変換部２０３の出力データを多重化回路部２４に供給するようにする。
【０１００】
その他のブロック構成は、第１の実施形態と同様であるので、図８においては、それら同様の部分には同一符号を付すこととする。ただし、多重化回路部２４における多重化処理は、後述するように、上述の実施形態とは異なるものである。そして、多重化復調回路部３２における多重化復調処理は、この例の多重化回路部２４の多重化処理に応じたものとなって、上述の実施形態とは異なるものである。
【０１０１】
なお、多重化回路部２４で、同期信号ＳＹＮＣとして、「８０００（１６進表示）」を用いること、および当該同期信号ＳＹＮＣと同じオーディオデータのデジタル値は、「８００１（１６進表示）」に変換するようにする処理は、上述の実施形態と全く同様になされる。
【０１０２】
リア左右チャンネルのオーディオ信号Ｌｒ，Ｒｒ用の１６→１５ビット変換部２０１，２０２は、この例では、ＤＶＤプレーヤ１からのサンプリング周波数が４８ｋＨｚ、１６ビット／サンプルのオーディオデータを、サンプリング周波数は変えずに１５ビット／サンプルのオーディオデータに変換するようにする。
【０１０３】
この場合のビット変換部２０１および２０２におけるビット変換処理としては、１６ビットのＬＳＢ（Ｌｅａｓｔ  Ｓｉｇｎｉｆｉｃａｎｔ  Ｂｉｔ）を除去して１５ビットに変換するようにしても良いし、１６ビットから１５ビットへの変換テーブルを用意して変換するようにしても良い。ただし、１６ビットのオーディオデータについて、同期信号ＳＹＮＣとして用いる「８０００（１６進表示）」は、「８００１（１６進表示）」に変換した後、ビット変換するようにする。
【０１０４】
また、低域専用チャンネル用のサンプリング周波数変換部２０３は、ＤＶＤプレーヤ１からのサンプリング周波数が４８ｋＨｚの低域専用チャンネルのオーディオデータＬＦＥを、サンプリング周波数が４８÷１６＝３ｋＨｚの、１６ビットのオーディオデータに変換するようにする。
【０１０５】
そして、ビット変換部２０１および２０２からの、１５ビットとされたリア左右２チャンネルのオーディオデータＬｒおよびＲｒと、サンプリング周波数変換部２０３からの、サンプリング周波数が変換された低域専用チャンネルのオーディオデータＬＦＥとが多重化回路部２４に供給される。
【０１０６】
多重化回路部２４では、この第３の実施形態の第１の例においては、図９に示すように、１６Ｔ区間を多重化の単位区間として多重化処理をするようにする。
【０１０７】
すなわち、図９（Ｂ）に示すように、多重化の単位区間である１６Ｔ区間の先頭には、上述の例と同様に、１６ビットの同期信号ＳＹＮＣを挿入する。次に、それぞれ１６個ずつの合計３２個のリア左右２チャンネルの１５ビットのサンプルデータを、図９（Ｂ）のように、交互に配置する。そして、１６Ｔ区間の最後に、１６ビットの低域専用チャンネルのオーディオデータＬＦＥの１個のサンプルデータを配置する。
【０１０８】
すなわち、この第１の例においては、リア左右２チャンネルのオーディオデータは、１６ビットのサンプルデータのそれぞれを１５ビットに変換して、多重化単位区間の１６Ｔにおいて、３２ビット分の空き区間を生成する。その空き区間に同期信号ＳＹＮＣと、低域専用チャンネルのオーディオデータＬＦＥの１サンプル分を挿入するようにする。
【０１０９】
このため、低域専用チャンネルのオーディオデータのサンプリング周波数は、４８÷１６＝３ｋＨｚとなるが、前述したように、低域専用チャンネルのオーディオ信号としては、１ｋＨｚ以下の再現帯域でよいので、このような低いサンプリング周波数に変換しても、実用上の問題は生じない。
【０１１０】
なお、低域専用チャンネルは、１６ビットのまま用いるものとしたが、この低域専用チャンネルのオーディオデータも１５ビット／サンプルとするようにしても良い。その場合には、１ビットが余るので、その余った１ビットを、付加信号用や他の用途に用いるようにしても良い。
【０１１１】
＜第２の例＞
図１０は、ビット変換を行なう第３の実施形態の第２の例を説明するためのタイミングチャートである。
【０１１２】
図１０（Ａ）に示すように、この第２の例においては、多重化処理の単位区間は、９Ｔとする。そして、図１０（Ｂ）に示すように、この９Ｔの多重化単位区間の先頭には、１６ビットの同期信号ＳＹＮＣを配置する。その後に、リア左右２チャンネルのオーディオデータＬｒ，Ｒｒの８個サンプルずつの合計１６個サンプルを挿入する。そして、その際に、リア左右２チャンネルのオーディオデータＬｒ，Ｒｒは１５ビットとして、１６ビット単位の最後の１ビットに、１６ビットの低域専用チャンネルのオーディオデータＬＦＥ（図１０（Ｄ）参照）の１ビットずつを、順次に分散して配置するようにする。
【０１１３】
この場合、９Ｔ区間には、１６×９×２＝２８８ビットが含まれる。先頭の同期信号ＳＹＮＣの１６ビットと、その後の低域専用チャンネルのオーディオデータを最後の１ビットとして含む１６ビット毎のリア左右２チャンネルのオーディオデータの１６個とで占めるビット数は、１６＋１６×１６＝２７２ビットとなり、１６ビットが余る。そこで、この第２の例においては、この余りの１６ビット分として、付加信号ＣＴＬを挿入することができる。
【０１１４】
なお、この第２の実施形態では、９Ｔの区間にリア左右チャンネルのオーディオデータの８個サンプルずつを挿入することになるので、当該リア左右チャンネルのオーディオ信号のそれぞれについては、１６ビットから１５ビットへの変換のみでなく、サンプリング周波数を、４８×８／９＝４２．６６．．．ｋＨｚに変換する必要がある。
【０１１５】
また、低域専用チャンネルのオーディオ信号については、サンプリング周波数を、４８×１／９＝５．３３．．．ｋＨｚに変換する必要がある。
【０１１６】
［第４の実施形態］
この第４の実施形態は、第３の実施形態のようなビット変換を伴わずに、サンプリング周波数の変換のみで、２チャンネルの伝送系７を通じて３チャンネルのオーディオデータを伝送することができるようにする場合である。
【０１１７】
＜第１の例＞
第４の実施形態の第１の例を、図１１のブロック図および図１２のタイミングチャートを参照して説明する。
【０１１８】
図１２に示すように、この第４の実施形態の第１の例においては、前述した第３の実施形態の第２の例と同様に、９Ｔ区間を多重化の単位区間として、当該多重化単位区間当たりについて、リア左右２チャンネルのオーディオデータの１６個のサンプルデータ（８個ずつのサンプルデータ）と、低域専用チャンネルのオーディオデータの１個のサンプルデータとを、多重化処理をするようにする。
【０１１９】
このため、図１１に示すように、オーディオデータ無線送信装置２は、リア左右チャンネル用のサンプリング周波数変換部２１１，２１２と、低域専用チャンネル用のサンプリング周波数変換部２１３とを備える。
【０１２０】
リア左右チャンネル用のサンプリング周波数変換部２１１および２１２では、サンプリング周波数を、４８×８／９＝４２．６６．．．ｋＨｚに変換する処理を行う。また、低域専用チャンネル用のサンプリング周波数変換部２１３では、サンプリング周波数を、４８×１／９＝５．３３．．．ｋＨｚに変換する処理を行う。これらのサンプリング周波数の変換処理の方法は、第１の実施形態で説明したのと同様である。
【０１２１】
そして、それらサンプリング周波数変換部２１１，２１２，２１３の出力データを多重化回路部２４に供給するようにする。
【０１２２】
その他のブロック構成は、第１の実施形態と同様であるので、図１１においては、それら同様の部分には同一符号を付すこととする。ただし、多重化回路部２４における多重化処理は、後述するように、上述の実施形態とは異なるものである。そして、多重化復調回路部３２における多重化復調処理は、この例の多重化回路部２４の多重化処理に応じたものとなって、上述の実施形態とは異なるものである。
【０１２３】
なお、多重化回路部２４で、同期信号ＳＹＮＣとして、「８０００（１６進表示）」を用いること、および当該同期信号ＳＹＮＣと同じオーディオデータのデジタル値は、「８００１（１６進表示）」に変換するようにする処理は、上述の実施形態と全く同様になされる。
【０１２４】
多重化処理回路２４では、この例は、次のような多重化処理がなされる。
【０１２５】
図１２（Ｂ）に示すように、この例においては、９Ｔの多重化単位区間の先頭には、１６ビットの同期信号ＳＹＮＣを配置する。その後に、リア左右２チャンネルのオーディオデータＬｒ，Ｒｒの８個のデータサンプルずつの合計１６個のデータサンプルを挿入する。すると、９Ｔ区間の最後の１６ビット分の１／２Ｔ区間が空き区間となるので、この空き区間に、低域専用チャンネルのオーディオデータＬＦＥ（図１２（Ｄ）参照）の１個のデータサンプルを配置するようにする。
【０１２６】
＜第２の例＞
第４の実施形態の第２の例を、図１３のブロック図および図１４のタイミングチャートを参照して説明する。
【０１２７】
図１４に示すように、この第４の実施形態の第２の例においては、１６Ｔ区間を多重化の単位区間として、当該多重化単位区間当たりについて、リア左右２チャンネルのオーディオデータの１４個ずつのサンプルデータ（合計２８個のサンプルデータ）と、低域専用チャンネルのオーディオデータの１個のサンプルデータと、第１および第２の付加信号ＣＴＬ１およびＣＴＬ２を、多重化処理をするようにする。
【０１２８】
このため、図１３に示すように、オーディオデータ無線送信装置２は、リア左右チャンネル用のサンプリング周波数変換部２２１，２２２と、低域専用チャンネル用のサンプリング周波数変換部２２３とを備える。
【０１２９】
リア左右チャンネル用のサンプリング周波数変換部２２１および２２２では、サンプリング周波数を、４８×１４／１６＝４２ｋＨｚに変換する処理を行う。また、低域専用チャンネル用のサンプリング周波数変換部２１３では、サンプリング周波数を、４８×１／１６＝３ｋＨｚに変換する処理を行う。これらのサンプリング周波数の変換処理の方法は、第１の実施形態で説明したのと同様である。
【０１３０】
そして、それらサンプリング周波数変換部２２１，２２２，２２３の出力データを多重化回路部２４に供給するようにする。
【０１３１】
その他のブロック構成は、第１の実施形態と同様であるので、図１３においては、それら同様の部分には同一符号を付すこととする。ただし、多重化回路部２４における多重化処理は、後述するように、上述の実施形態とは異なるものである。そして、多重化復調回路部３２における多重化復調処理は、この例の多重化回路部２４の多重化処理に応じたものとなって、上述の実施形態とは異なるものである。
【０１３２】
なお、多重化回路部２４で、同期信号ＳＹＮＣとして、「８０００（１６進表示）」を用いること、および当該同期信号ＳＹＮＣと同じオーディオデータのデジタル値は、「８００１（１６進表示）」に変換するようにする処理は、上述の実施形態と全く同様になされる。
【０１３３】
多重化処理回路２４では、この例は、次のような多重化処理がなされる。
【０１３４】
図１４（Ｂ）に示すように、この例においては、１６Ｔの多重化単位区間の先頭には、１６ビットの同期信号ＳＹＮＣを配置する。その後に、第１の付加信号ＣＴＬ１を配置する。その後に、リア左右２チャンネルのオーディオデータＬｒ，Ｒｒの１４個のデータサンプルずつの合計２８個のデータサンプルを挿入する。すると、１６Ｔ区間の最後の３２ビット分の１Ｔ区間が空き区間となるので、この空き区間に、第２の付加信号ＣＴＬ２と、低域専用チャンネルのオーディオデータＬＦＥ（図１４の（Ｄ）参照）の１個のデータサンプルを配置するようにする。
【０１３５】
上述のように、この例においては、２種類の付加信号ＣＴＬ１およびＣＴＬ２を、多重化することができる。第１の付加情報ＣＴＬ１は、図１４（Ｂ）に示すように、例えば３〜４ビットのモード１情報と、例えば３〜４ビットの内容１情報と、例えば８〜１０ビットの数値からなる値情報とから構成される。
【０１３６】
この第１の付加情報ＣＴＬ１の前記の各情報の詳細は、例えば図１５に示すようなものとされる。この例の第１の付加情報ＣＴＬ１は、例えばリア左右チャンネル用のスピーカ装置および低域専用チャンネル用のスピーカ装置が、５．１チャンネルサラウンド音をリスナ６が座って楽しむようにする椅子に取り付けられた場合を想定したものであり、種々の制御信号となっている。
【０１３７】
また、第２の付加信号ＣＴＬ２は、図１４（Ｂ）に示すように、例えば３〜４ビットのモード２情報と、例えば３〜４ビットの内容２情報と、例えば８〜１０ビットのテキスト情報からなる値情報とから構成される。
【０１３８】
この第２の付加信号ＣＴＬ２の前記各情報の詳細は、図１６に示すようなものとされる。この例の第２の付加情報ＣＴＬ２は、上述のように、リスナ６が椅子に座って５．１チャンネルサラウンド音を楽しむ場合に、椅子に取り付けられたディスプレイに表示する情報などの情報として用いられる。
【０１３９】
［その他の変形例］
上述の実施形態では、同期信号ＳＹＮＣと同じデジタル値のオーディオデータは、多重化回路部２４で、同期信号ＳＹＮＣとは異なる他のデジタル値に変更するようにしたが、予め、オーディオデータとして、負の最大値を取らないように、デジタル値を制限しておくようにしてもよい。
【０１４０】
また、同期信号ＳＹＮＣは、負の最大値に限らず、オーディオ信号の高振幅部分に対応する他の値を用いてよい。
【０１４１】
また、上述の実施形態では、２チャンネルの伝送系に３チャンネルのオーディオデータを伝送する場合であったが、３チャンネル以上の複数チャンネルのデータを伝送する場合にも、この発明を適用することができる。
【０１４２】
また、使用する伝送系自身も、２チャンネルの伝送系に限らず、１チャンネルの伝送系であってもよいし、また、３チャンネル以上の伝送が可能な伝送系であってもよい。
【０１４３】
また、伝送系のＭチャンネルよりも多いチャンネル数のＮチャンネルとしては、伝送しようとする情報のチャンネル数は同じで、それに制御データや付加データをチャンネルデータとして伝送するようにする場合も含むものである。例えば、オーディオ信号の２チャンネルの伝送系で、同じ２チャンネルのオーディオ信号と、制御データおよび付加情報を追加チャンネルとして伝送する場合にも、この発明は適用可能である。
【０１４４】
また、この発明は、オーディオデータの伝送系に限られるものではないことは言うまでもない。
【０１４５】
また、伝送系は、無線に限らず、有線（ケーブル伝送）であっても、この発明は適用可能である。
【図面の簡単な説明】
【０１４６】
【図１】この発明によるデジタルデータ伝送装置の第１の実施形態を含む映像音響システムの構成例を示すブロック図である。
【図２】この発明によるデジタルデータ伝送装置の実施形態を含む映像音響システムの構成例を示すブロック図である。
【図３】この発明によるデジタルデータ伝送方法の第１の実施形態を説明するためのタイミングチャートである。
【図４】この発明によるデジタルデータ伝送方法の実施形態に用いる同期信号ＳＹＮＣを説明するための図である。
【図５】この発明によるデジタルデータ伝送方法の第１の実施形態の他の例を説明するためのタイミングチャートである。
【図６】この発明によるデジタルデータ伝送方法の第２の実施形態の一例を説明するためのタイミングチャートである。
【図７】この発明によるデジタルデータ伝送方法の第２の実施形態の他の例を説明するためのタイミングチャートである。
【図８】この発明によるデジタルデータ伝送装置の第３の実施形態の構成例を示すブロック図である。
【図９】この発明によるデジタルデータ伝送方法の第３の実施形態の一例を説明するためのタイミングチャートである。
【図１０】この発明によるデジタルデータ伝送方法の第３の実施形態の他の例を説明するためのタイミングチャートである。
【図１１】この発明によるデジタルデータ伝送装置の第４の実施形態の構成例を示すブロック図である。
【図１２】この発明によるデジタルデータ伝送方法の第４の実施形態の一例を説明するためのタイミングチャートである。
【図１３】この発明によるデジタルデータ伝送装置の第４の実施形態の他の例の構成例を示すブロック図である。
【図１４】この発明によるデジタルデータ伝送方法の第４の実施形態の他の例を説明するためのタイミングチャートである。
【図１５】この発明によるデジタルデータ伝送方法の第４の実施形態の他の例を説明するための図である。
【図１６】この発明によるデジタルデータ伝送方法の第４の実施形態の他の例を説明するための図である。
【符号の説明】
【０１４７】
１…ＤＶＤプレーヤ、２…オーディオデータ無線送信装置、３…オーディオデータ無線受信装置、７…無線伝送系、２１,２２,２３，２１１,２１２，２１３，２２１，２２２，２２３…サンプリング周波数変換部、２４…多重化回路部２４、２５…無線送信回路部、２０１，２０２，２０３…ビット変換部
【図１】
2008028496.tif 000003
【図２】
2008028496.tif 000004
【図３】
2008028496.tif 000005
【図４】
2008028496.tif 000006
【図５】
2008028496.tif 000007
【図６】
2008028496.tif 000008
【図７】
2008028496.tif 000009
【図８】
2008028496.tif 000010
【図９】
2008028496.tif 000011
【図１０】
2008028496.tif 000012
【図１１】
2008028496.tif 000013
【図１２】
2008028496.tif 000014
【図１３】
2008028496.tif 000015
【図１４】
2008028496.tif 000016
【図１５】
2008028496.tif 000017
【図１６】
2008028496.tif 000018